Podtech/llm-jp-corpus-v4-ja_patent huggingface dataset:
(57)【要約】【課題】  眼の疲労を緩和させ、眼の老化を遅らせることができ、健康によく身体の養生に役立つ眼鏡を提供する。【解決手段】  眼鏡は、二枚のレンズ１と、二枚のレンズ１の間に連結されるブリッジ２と、二本のテンプル３とから構成される。ブリッジ２の両端に設けられる二つのパット２２には、それぞれ磁石２３が取り付けられる。二本のテンプル３は、遠赤外線を放射する材質で形成され表面に突出するマッサージ突起３２を有するゴムカバー３１で被覆されている。【選択図】図１
0003167183.tif 000002
【実用新案登録請求の範囲】
【請求項１】
二枚のレンズと、前記二枚のレンズの間に連結されるブリッジと、前記二枚のレンズの外端部に一端が連結される二本のテンプルとから構成され、
前記ブリッジは、前記二本のテンプルと連結される末端に、中央部に磁石を設けているパットが取り付けられ、
前記二本のテンプルは、遠赤外線を放射する材質で形成され表面に突出するマッサージ突起を有するゴムカバーで被覆されていることを特徴とする眼鏡。
【考案の詳細な説明】
【技術分野】
【０００１】
本考案は、眼鏡に関する。
【背景技術】
【０００２】
従来の普通の眼鏡は、基本的に一本のリムと二本のテンプルと二枚のレンズとで構成され、レンズは個人の必要に応じて各種の異なるものを使用する。それで視力を矯正したり日光を遮断したり、又は装飾に利用したりする。その功能は比較的単純で、健康上効果がない。
【考案の概要】
【考案が解決しようとする課題】
【０００３】
しかし、現在の社会は眼の健康が重視され、専門の器具や設備を利用したり、マッサージで眼を保養したりすることが普遍化している。その様な方法は時間が相当かかる外、それに支出される費用も少なくない。
本考案は、この点に鑑みてなされたものであり、目の保養に役に立ち、健康によく、身体の養生に役立つ眼鏡を提供することを目的とする。
【課題を解決するための手段】
【０００４】
本考案の眼鏡は、二枚のレンズの間にブリッジを連結し、このブリッジの両末端にそれぞれパットを取り付け、更にこのパットに磁石が取り付けられる。この磁石が顔の皮膚と接触し、磁場共振の原理により磁石が３２度以上の温度に達したら電荷と遊離基を放射させる。また、二本のテンプルには、それぞれ遠赤外線を放射する材質で作ったゴムカバーを大部分の表面に被覆させる。このゴムカバーは磁石との協働作用により、頭部に生物保養磁場を発生させると共に、ゴムカバーの表面には多数の突き出たマッサージ突起を形成して、顔の皮膚と筋肉をマッサージできるようにする。
【０００５】
本考案の眼鏡は、パットに二つの磁石が取り付けられる。また、二本のテンプルを被覆しているゴムカバーが遠赤外線を放射する材質で作られ、その表面に多数のマッサージ突起が形成されている。したがって、磁石の磁場共振の作用と遠赤外線の作用とマッサージの作用とが生じ、眼と頭脳に生理的に働きかける。これにより、眼を保護すると共に、眼の疲労を緩和、回復し、頭脳を清新に維持し、頭痛を緩和させて健康に良い影響を与え、身体の養生に役立つ。
【図面の簡単な説明】
【０００６】
【図１】本考案の一実施例による眼鏡の斜視図である。
【図２】本考案の一実施例による眼鏡のブリッジの正面図である。
【図３】本考案の一実施例による眼鏡のテンプルの斜視図である。
【考案を実施するための形態】
【０００７】
（一実施例）
本考案の一実施例による眼鏡は、図１、図２、図３に示す様に、二枚のレンズ１と、ブリッジ２と、二本のテンプル３とで構成される。ブリッジ２は、ねじ２０で二枚のレンズ１の間に固く連結される。更にブリッジ２は、その両末端にそれぞれ貫通孔２１を形成すると共に、両末端から下方に伸びるパット２２を設け、各パット２２の中央部に磁石２３が取り付けられる。二本のテンプル３は、その一端が各レンズ１の外端部の上部に連結される。また、二本のテンプル３は、それぞれ、ゴムカバー３１で表面の大部分が被覆される。このゴムカバー３１は遠赤外線を発生する材質で作られ、その表面には多数のマッサージ突起１２が形成されている。
【０００８】
本実施例の眼鏡を図１に示す様にかけて使用すると、ブリッジ２は使用者の鼻の上に来て、ブリッジ２のパット２２に設けられる磁石２３は人の皮膚と接触する。それで、磁場共振の原理により、磁石２３が温度３２°Ｃ以上に達したら電荷と遊離基を放射するので、酸化防止と、細胞の活性を高め、頭部の血液循環を促進し、眼の疲労を緩和する効果がある。
【０００９】
その外、テンプル３を被覆している遠赤外線を発生する材質で作られるゴムカバー３１は、この眼鏡を掛けている時、遠赤外線を放射し、パット２２に付けている磁石２３との協働作用により、頭部に生物保養磁場を形成する。また、テンプル３のマッサージ突起３２により眼の周囲と頭部の針術治療に使用される個所をマッサージする。
【００１０】
本実施例の眼鏡は、二つの磁石が磁場を発生し、二本のテンプルのゴムカバーが遠赤外線を放射する作用により視神経を調節し、眼の周囲の筋肉を緩ませ、頭部の血液循環を速め、眼の疲労を緩和すると共にその膨張を防ぎ、頭痛を緩和させ、頭脳を清新に保持し、眼の老化を遅らせて、健康によく、身体の養生に役立つ効果がある。
【符号の説明】
【００１１】
１  ・・・レンズ
２  ・・・ブリッジ
２０・・・ねじ
２１・・・貫通孔  
２２・・・パット
２３・・・磁石
３  ・・・テンプル
３１・・・ゴムカバー
３２・・・マッサージ突起
【図１】
0003167183.tif 000003
【図２】
0003167183.tif 000004
【図３】
0003167183.tif 000005
(57)【要約】      （修正有）【課題】１５ｃｍ直線ＰＣ定規の中に、３０ｃｍ目盛りを入れて長さの半分の目盛定規とし、右利きの人及び左利きの人にも１つの定規で利用できる様にした直線定規を提供する。【解決手段】１５ｃｍ定規を横に２分割として上に右利き用の０〜３０ｃｍ目盛りが入り、下には左利き用の０〜３０ｃｍ目盛りを入れる。１５ｃｍ以上の線引きや測る場合、下段の１５の目盛でー度チエックをし、右利きの人は定規を右へ、左利きの人は、定規を左へスライドさせ、チエック点を起点に上段の１５の目盛より測る。【選択図】図１
0003167148.tif 000002
【実用新案登録請求の範囲】
【請求項１】
１５ｃｍの直線定規であって、０から１５ｃｍまでの目盛と、１５ｃｍから３０ｃｍまでの目盛との２種類の連続した目盛を、隣接して設けた事を特徴とする直線定規。
【請求項２】
直線定規本体の上部左端部に０数値を付け、上部右端部に定規本体が測定できる測定数値を付けた第一の目盛部を設け、該第一の目盛部に隣接して直線定規本体の左端部に上記測定数値と同一の測定数値を付け、右端部に上記測定数値の２倍の測定数値を付けた第二の目盛部を設けた事を特徴とする直線定規。
【請求項３】
請求項２記載の直線定規であって、直線定規下部左端部に０数値を付け、下部右端部に定規本体が測定できる測定数値を付けた第三の目盛部を設け、該第三の目盛部に隣接して直線定規本体の左端部に上記測定数値と同一の測定数値を付け、右端部に上記測定数値の２倍の測定数値を付けた第四の目盛部を設け、かつ第三目盛部と第四目盛部に記載する数字は上下逆転して記載してなる事を特徴とする直線定規。
【考案の詳細な説明】
【技術分野】
【０００１】
本考案は、直線定規に関するものである。
【背景技術】
【０００２】
１つの直線定規の中に０〜３０cmの測定と、左利き、右利きの方にも使用が可能な直線定規である。
【先行技術文献】
【特許文献】
【０００３】
【特許文献１】実開平４−３０４０１号公報
【考案の概要】
【考案が解決しようとする課題】
【０００４】
本考案は、１５ｃｍの直線ＰＣ定規本体の中を、上・下に２分割に振り分けて、左利き、右利きの方にも平等に、使用できる目盛り寸法を入れました。
【課題を解決するための手段】
【０００５】
本考案は、１５ｃｍの直線ＰＣ定規の中に０〜１５ｃｍ目盛り、１５〜３０ｃｍ目盛りを２段階にして入れました。本考案は、１５ｃｍの定規の中に、３０ｃｍ定規が入った点です。目盛を下に０〜１５、上に１５〜３０と入れました。例えば、２２ｃｍを測りたい場合は、下目盛で１５ｃｍを測りチエックしておき、次に上の１５cmをチエック点にスライドしますと便利なことに実数字の２２ｃｍとなります。左利き、右利き用として同じ３０ｃｍ目盛が入っています。
本考案は、この１５cm定規に限定ではなく２０ｃｍ、３０ｃｍ、５０ｃｍ、と長さが換わろうと考案の趣旨は同じである。依って、長さを限定している物ではないのである。本考案の、定規目盛の利用方法により１ｍの定規も、半分の５０ｃｍ定規を作れば良いわけで、物の消費を押さえる意味でも素晴らしい事です。
【考案の効果】
【０００６】
本考案は、２段階目盛りによつて、１５cm定規が３０ｃｍ定規の測定をも可能にし、実数字が簡単に分かる目盛りが入り測定が楽になります。
【図面の簡単な説明】
【０００７】
【図１】本考案の直線定規のー実施例を示す正面図
【図２】本考案の直線定規の使用例を説明する図面
【図３】本考案の直線定規の他の実施例を示す正面図
【考案を実施するための形態】
【０００８】
従来から定規は、線引きや測れるものとして利用されて来ました今はプラスチック樹脂が主流であります
元々が文具類は低価格な商品ですので、利益の薄いものだと思います
よって材質にはこれといった基準が無く、強度も無く簡単に割れてしまう粗悪な製品も流通しています児童が定規の破損によって、傷つくといった、あっては成らない事故が多々有ります本ＰＣ定規は隅を丸く成形し、耐衝撃性のＰＣ(ポリカーボ)樹脂で割れを防止し、幼い子供が傷つかないようにするため、安全第一を目標に考案いたしました。
【０００９】
アクリル樹脂、AS樹脂、PS樹脂、メタクリル樹脂、PVC樹脂  各樹脂を耐久試験しました結果であります。定規の両隅を両手で押しますと強度(しなり)がなく、殆どが２つ以上に破損し飛び散りまして、定規の割れ方もなかには鋭角の物もあり、とても危険です。これらの２倍〜3倍以上の樹脂価格にはなりますが、PC（ポリカーボ）樹脂ならば、強度（しなり）などがあり火力にも強く、子供のいたずらにも安心であります。両隅をもち割ろうとしても、90度まで曲げても折れないだけの耐衝撃性の特色を持ち合わせた樹脂であり、本ＰＣ定規も安全を考えて成形品すべてが、PC樹脂を使用した製品です。
同じ家の小学生兄弟でも左利きの兄は、左利き用定規の購入、右利きの弟は、右利き用の定規の購入と煩わしく、不経済でとても無駄がありました。
この問題を解決するには、一本の定規の中に、左利き用と右利き用の目盛が入った定規を作れば仲良く利用できる訳であります。
本考案の思いは、定規の中に入れてある目盛り、その倍数字を、一本の定規で実現できた点であります。仮に１５ｃｍの定規が、倍数字ですから３０ｃｍ定規の能力を得たわけです。この考案によって、３０ｃｍ定規が１５ｃｍ定規とコンパクトとなり、私達の衣服のポケットあるいは筆箱の中にと、コンパクトに入るようになり、携帯にも便利になりました。
本考案により、一本の定規で左利きの人、右利きの人にも１５ｃｍ定規が３０ｃｍの機能を私達に与えてくれました。
以下に使用方法を説明する
今までは１５ｃｍ定規で、全長２２ｃｍの長さを計測したい場合には、始まりの０目盛りを二度使用して、１ｃｍずつを足していって長さを求めました
本定規は直線引きと、計測を目的とするものであり、左利き、右利きの人にも、簡単な定規のスライド移動で、測りたい長さが実数字で、分かるようになりとても便利になりました。
この方法は、今日まで誰もが考え付かず、又採用してきませんでした。まったく新しい定規の使用方法ですので、本考案が主張すべき一番重要なポイントであります。
【００１０】
【表１】
0003167148.tif 000003
【００１１】
１６ｃｍ〜３０ｃｍ以内を測る場合は、
下段の１５ｃｍでー度チエック、起点に右へスライドし、上段の１５ｃｍ目盛りから測ります。
下段の１５ｃｍ目盛りと、上段の目盛りを使いまして、３０ｃｍ以下の長さを計測します。
下段１５ｃｍの上に、上段１５ｃｍが右スライド交差した起点から、計測しますと、求めたい実数字が出まして、とても簡単・便利で、使い勝手のよい定規になりました。
【符号の説明】
【００１２】
１  直線定規
２  右利き用０〜３０ｃｍ目盛り寸法      
３  左利き用０〜３０ｃｍ目盛り寸法
【図１】
0003167148.tif 000004
【図２】
0003167148.tif 000005
【図３】
0003167148.tif 000006
(57)【要約】      （修正有）【課題】１つの複合書籍として購入でき、管理が容易であり、読者は読みたい方の書籍を表紙又は裏表紙から簡単に読み始めることができる複合書籍を提供する。【解決手段】表紙４から第１の最終頁７まで綴じ辺を右にして上下正方向に印刷して重ねてなる第１の書籍２と、裏表紙５から第２の最終頁８まで綴じ辺を右にして上下正方向に印刷して重ねてなる第２の書籍３とを、互いに上下逆に配置し、第１の最終頁と第２の最終頁とを接してなる複合書籍１。【選択図】図１
0003167150.tif 000002
【実用新案登録請求の範囲】
【請求項１】
表紙（４）から第１の最終頁（７）まで綴じ辺（９）を右にして上下正方向に印刷して重ねてなる第１の書籍（２）と、裏表紙（５）から第２の最終頁（８）まで綴じ辺（９）を右にして上下正方向に印刷して重ねてなる第２の書籍（３）とを、互いに上下逆に配置し、第１の最終頁（７）と第２の最終頁（８）とを接してなる複合書籍。
【請求項２】
表紙（４）から第１の最終頁（７）まで綴じ辺（９）を左にして上下正方向に印刷して重ねてなる第１の書籍（２）と、裏表紙（５）から第２の最終頁（８）まで綴じ辺（９）を左にして上下正方向に印刷して重ねてなる第２の書籍（３）とを、互いに上下逆に配置し、第１の最終頁（７）と第２の最終頁（８）とを接してなる複合書籍。
【請求項３】
第１の書籍（２）の用紙の色が第２の書籍（３）の用紙の色と異なることを特徴とする請求項１又は２に記載の複合書籍。
【請求項４】
第１の書籍（２）のひらき辺（１０）の上角又は下角又は中央部、又は上辺（１１）又は下辺（１２）の中央部が切断除去されていることを特徴とする請求項１又は２に記載の複合書籍。
【考案の詳細な説明】
【技術分野】
【０００１】
２つの書籍を接合してなる複合書籍に関する。
【背景技術】
【０００２】
従来の書籍は１つずつ独立して構成されている。たとえ、複数の話が含まれていても、印刷される方向を同一にして重ねられており、表紙から順に開いて第１話、第２話、第３話と読み進むものである。
【先行技術文献】
【特許文献】
【０００３】
【特許文献１】特開平７−３０９０８５号公報
【考案の概要】
【考案が解決しようとする課題】
【０００４】
しかしながら、関連の書籍が別々に構成されていると、別々に購入する必要があり、また、管理が困難であり、一方の書籍を紛失してしまう恐れもある。
【０００５】
また、複数の書籍を同一印刷方向に重ねて１つの複合書籍とした場合に、第２の書籍から先に読み始めようとすると、第２の書籍の最初の頁を探すのは困難であり、第１の書籍の内容を誤って見てしまう可能性がある。
【０００６】
さらに、複数の書籍を同一印刷方向に重ねて１つの複合書籍とした場合に、第２の書籍の最初の頁にハードカバー等の複合書籍の表紙と同一の材料及びカラー印刷の中表紙を付けると、余計な費用と手間が掛かってしまう。
【課題を解決するための手段】
【０００７】
上記課題は、請求項１に記載の表紙から第１の最終頁まで綴じ辺を右にして上下正方向に印刷して重ねてなる第１の書籍と、裏表紙から第２の最終頁まで綴じ辺を右にして上下正方向に印刷して重ねてなる第２の書籍とを、互いに上下逆に配置し、第１の最終頁と第２の最終頁とを接してなる複合書籍によって、解決される。
【０００８】
また、上記課題は、請求項２に記載の表紙から第１の最終頁まで綴じ辺を左にして上下正方向に印刷して重ねてなる第１の書籍と、裏表紙から第２の最終頁まで綴じ辺を左にして上下正方向に印刷して重ねてなる第２の書籍とを、互いに上下逆に配置し、第１の最終頁と第２の最終頁とを接してなる複合書籍によって、解決される。
【考案の効果】
【０００９】
本願の請求項１及び２に係る考案により、２つの書籍が複合されて１つの複合書籍となっているので、１つの複合書籍として購入でき、管理が容易であり、２つの書籍がそれぞれ表紙と裏表紙から上下逆に配置されているので、読者は読みたい方の書籍を表紙又は裏表紙から簡単に読み始めることができるという利点を有する。
【００１０】
さらに、本願の請求項１及び２に係る考案により、同一の材料及びカラー印刷の複合書籍の表紙と裏表紙に、余計な費用と手間を掛けることなく、２つの書籍のそれぞれの表紙を付けることができるという利点も有する。
【図面の簡単な説明】
【００１１】
【図１】本考案の複合書籍の実施形態の斜視図である。
【図２】本考案の複合書籍の変形実施形態の斜視図である。
【考案を実施するための形態】
【００１２】
以下、添付図面を参照しながら、本考案の実施形態について説明する。
【００１３】
図１は、本考案の複合書籍の実施形態を示す図である。
【００１４】
符号１として全体を示す、複合書籍は、第１の書籍２及び第２の書籍３から成り、通常の書籍と同様に、表紙４、裏表紙５、及び背表紙６を有している。
【００１５】
第１の書籍２は、表紙４から第１の最終頁７まで綴じ辺９を右にして上下正方向に印刷して重ねて配置されており、第２の書籍３は、裏表紙５から第２の最終頁８まで綴じ辺９を右にして上下正方向に印刷して重ねて配置されている。
【００１６】
即ち、第１の書籍２及び第２の書籍３はそれぞれ表紙４及び裏表紙５から、互いに上下逆に配置され、第１の最終頁７と第２の最終頁８が接するように配置される。
【００１７】
次に、図２に示す本考案の複合書籍の変形実施形態について説明する。
【００１８】
図２の複合書籍の変形実施形態の構成は、図１の複合書籍の構成と基本的には同じであるが、図２の複合書籍の変形実施形態においては、第１の書籍２と第２の書籍３の区別を明確にする為に、第１の書籍２の表紙４以外の頁に、破線で示されている切断部１３が備えられている。
【００１９】
図２に示されているように、切断部１３は第１の書籍の表紙４以外の各頁のひらき辺１０の上角、下角、又は中央部、又は上辺１１又は下辺１２の中央部のいずれかに備えることができる。
【００２０】
また、図示されていないが、第１の書籍２と第２の書籍３の区別を明確にする為に、第１の書籍２の表紙４以外の用紙の色を第２の書籍３の裏表紙５以外の用紙の色と異なる色とすることもできる。
【符号の説明】
【００２１】
１  複合書籍
２  第１の書籍
３  第２の書籍
４  表紙
５  裏表紙
６  背表紙
７  第１の最終頁
８  第２の最終頁
９  綴じ辺
１０  ひらき辺
１１  上辺
１２  下辺
１３  切断部
【図１】
0003167150.tif 000003
【図２】
0003167150.tif 000004
(57)【要約】      （修正有） 【課題】シールを台紙より剥がし、被着体へ貼り付ける際の手間と被着体より剥がす際の手間を解消し、シール貼り剥がし時の作業効率を改善するシール加工品を提供する。【解決手段】台紙に剥離可能に接着したシール１が、複数、間隔を開けて設けられているシール加工品であって、台紙は、台紙本体３と、この台紙本体３とスリット５で分離された端部台紙４を有し、端部台紙４は、シール１の端部と同じ大きさに形成されており、シール１は、台紙本体３から端部台紙４にかけて貼り付けられていることで、端部を持ち手とし、シール１を台紙本体３から剥がせる。【選択図】図１
0003167111.tif 000002
【実用新案登録請求の範囲】
【請求項１】
台紙（２）に剥離可能に接着したシール（１）が、複数、間隔を開けて設けられているシール加工品であって、前記台紙（２）は、台紙本体（３）と、この台紙本体（３）とスリット（５）で分離された端部台紙（４）を有し、前記端部台紙（４）は、前記シール（１）の端部と同じ大きさに形成されており、前記シール（１）は、台紙本体（３）から端部台紙（４）にかけて貼り付けられていることで、端部を持ち手とし、シール（１）を台紙本体（３）から剥がすことができるように構成されていることを特徴とするシール加工品。
【請求項２】
印刷または印字加工が加えられたことを特徴とする請求項１に記載のシール加工品。
【考案の詳細な説明】
【技術分野】
【０００１】
本考案は、スリット加工と抜き加工を組み合わせたシール加工品に関するものである。
【背景技術】
【０００２】
従来品である、シールより大きい台紙に複数枚のシールが並んだ形態のシート状およびロール状のシールの場合、台紙からシールを剥がす際は、シールと台紙の接着面を手がかりなく剥がすこととなり、とりわけ大量のシールを台紙から剥がし、被着体へ貼り付ける作業の際は作業効率が悪くなっていた。また被着体に接着したシールを取り外す際も、接着面が被着体に密着していることから前記と同じ理由で、剥がす手間がかかることがあった。
【先行技術文献】
【特許文献】
【０００３】
【特許文献１】特開２００７−１９３１６４号公報
【考案の概要】
【考案が解決しようとする課題】
【０００４】
本考案は、このような従来の欠点を解消し、シールを貼り剥がす際の作業効率を改善する製品を提供することを課題とする。
【課題を解決するための手段】
【０００５】
この目的を達成するため、本考案は、台紙に剥離可能に接着したシールが、複数、間隔を開けて設けられているシール加工品であって、前記台紙は、台紙本体と、この台紙本体とスリットで分離された端部台紙を有し、前記端部台紙は、前記シールの端部と同じ大きさに形成されており、前記シールは、台紙本体から端部台紙にかけて貼り付けられていることで、端部を持ち手とし、シールを台紙本体から剥がすことができるように構成されていることを特徴とするシール加工品である。
シールに印刷または印字加工を加えてもよい。
【考案の効果】
【０００６】
本考案の加工品は、シールに持ち手部分を作ることにより、シールを貼り剥がす作業効率を改善することができる。シールに印刷または印字加工を加えても効果は同等である。
【図面の簡単な説明】
【０００７】
【図１】本考案の加工品の一例を示した平面図である。
【図２】本考案の加工品の一例を示した断面図である。
【図３】本考案の加工品の一例を示した平面図（台紙側からみた図）である。
【図４】本考案の加工品の一例を示した平面図（台紙から剥がし裏面から見た図）である。
【図５】本考案の加工品を被着体に貼り付けた状態を示した断面図である。
【図６】本考案の印刷手順の一例を示した図である。
【考案を実施するための形態】
【０００８】
本考案において、シール材料は限定しないが、実用面から粘着については弱粘着または再剥離タイプのものを用いるのがより好ましい。
スリット位置についても、限定するものではないが、シールの粘着面の巾に対し、10％〜35％の間で持ち手部分を作るようスリットを施すのが使用上適している。
【０００９】
本考案の実施の形態を図面に沿って具体的に説明するが、本考案はこれらの実施の形態によって限定されるものではない。
【００１０】
図６に示す印刷手順例に従って、本考案を詳しく説明する。連続するシール原紙1およびそのシール原紙1に対応した連続台紙2にスリット5を施した材料を用意し、必要な場合はシール印刷機で指定の印刷をし、抜き型7を上から押し当て型抜きを施す。この作業を繰りかえし、複数のシールを形成する。型抜きの際は、台紙2まで抜き型7が貫通し全抜きとなる端部台紙4部分と、台紙2には抜き型7が作用しない半抜きの台紙本体3を作るための下版調整があらかじめ必要となる。したがって、端部台紙4側には、端部台紙4となる部分を押し上げて型抜きをするための下版調整層11が設けられる。型抜き完了後に、不要なシールおよび台紙を取り去る。その後、シール1複数枚が一回り大きい台紙2に並んだ状態になるよう程よい長さで台紙本体3を切断、またはシール1が一回り大きい台紙2に連続して並んで巻き取られた状態のロール状に仕上げる。
【００１１】
次に、実際の使用目的に基づいて作成されたシールについて説明する。図１〜３に示すものは、資格試験・入学試験実施会場において机に受験番号等を一時的に表示する目的で使用されるシール1であり、90mm×50mmのシールサイズで持ち手となる端部にシール1とそのシール1に対応する台紙4がそれぞれ15mmある状態とする。シール1から連続する又は隣り合うシール1の間には、3mm程度の開きを設け、端部と反対側の台紙本体3部分はシールサイズより大きくなっている。
【００１２】
また花火大会会場において、折りたたみ式の椅子の背面部分に座席位置番号を表示する目的で本考案が使用されている。
【００１３】
このようなシール１を台紙本体３から剥がし、被着体8に貼り付ける際は、図４に示すような、シール1に接着している端部台紙4部分を指で持ち、図５に示すようにシール1の粘着剤６側を被着体８に押し付け接着する。
【符号の説明】
【００１４】
1      シール
2      台紙
3      台紙本体
4      端部台紙
5      スリット
6      粘着剤
7      抜き型
8      被着体（机・椅子など）
9      下版（鉄板）
10   下版（ベークライト）
11   下版高さ調整層
【図１】
0003167111.tif 000003
【図２】
0003167111.tif 000004
【図４】
0003167111.tif 000005
【図５】
0003167111.tif 000006
【図６】
0003167111.tif 000007
【図３】
0003167111.tif 000008
(57)【要約】      （修正有）【課題】短めや薄手のスカート内をできるだけ速く保温し持続させるため通気性を断ち、反射熱を利用した保温効果のある断熱材を内側の層に使用し、激しい動きにも対応でき、また、簡単に脱着できるようにした断熱ミニスカートを提供する。【解決手段】スカート自体が両開きのためスカートが身体から落ちないよう上部端にボタン１、面ファスナー２、ボタン穴４、を設け固定する。またウエストを調整するため伸縮性のあるゴム帯３を設ける。スカートの素材は美観上、外側は一般的にスカートに使用される布地（ポリエステルなど）を設ける。内側は保温効果のある断熱材（アルミ蒸着ＰＥＴフィルム／ポリエチレンフィルムなど）を使用する。また肌触りを考慮し内側断熱材の内側に布地を使用し３層構造にしてもよい。断熱材と布地を合わせるためあて布を設ける。【選択図】図１
0003167201.tif 000002
【実用新案登録請求の範囲】
【請求項１】
スカート内を保温効果のある断熱材を内側の層に使用する。外側の層は特に指定はないが一般的に洋服に使用されるポリエステルなどの布地を使用し縫いつける。スカートの丈の長さは特に限定しない。ウエストラインは一部伸縮性のあるゴム状のものを設ける。簡単に脱着できるようにマジックテープまたはボタンを設け巻き型とする。
【考案の詳細な説明】
【技術分野】
【０００１】本発明は冬場でも足を露出しスカート内の温度を暖かく保ち身体の冷えを防ぐことを目的としたスカートまたはスカートの下に装着するものである。
【背景技術】
【０００２】冬場スカートを履きたくても寒いためズボンを履く女性は少なくない。通気性はあり下半身全体を服の上から羽織る保温可能なスカートはあるが、結婚式パーティなどで足を露出したまま下半身を保温できる短めの衣服、またはスカートを履きたい時にスカート内部に着用し保温効果のあるものは見受けられない。
【考案の開示】
【考案が解決しようとする課題】
【０００３】冬場短めや薄手のスカートを履く場合や外出する際、通気性があるスカートであると下半身を保温することは難しく下半身を冷やし腹痛などの原因となりスカートを履く機会を失うものである。
【課題を解決するための手段】
【０００４】短めや薄手のスカート内をできるだけ速く保温し持続させるため通気性を断ち、反射熱を利用した保温効果のある断熱材（アルミ蒸着ＰＥＴフィルム／ポリエチレンフィルムなど）を内側の層に使用する。コンパクトに折り曲げ収納できるよう薄いものを使用する。外側の層は特に指定はないが一般的に洋服に使用されるポリエステルなどの布地を使用し縫いつけ２層構造または３層構造にする。丈の長さの指定はないが膝上以上程度とする。
ウエストラインは一部伸縮性のあるゴム状のものを設け、激しい動きにも対応する。簡単に脱着できるよう上部のみにマジックテープやボタンを設け巻き型とする。
【考案の効果】
【０００５】冬場短めや薄手のスカートを履く場合でも断熱ミニスカートを装着することにより側面からの通気性を断ち、スカート内部を身体の放射熱を利用し保温することができる。またスカート内部の空気が入れかわった場合でも短時間で保温状態となる。またコンパクトで簡単に脱着可能であるためトイレなどで手早く外すことができる。状況に応じて温度調節が可能である。
【図面の簡単な説明】
【０００６】
【図１】本発明の斜視図
【図２】本発明の平面図
【考案を実施するための形態】
【０００７】以下、の実施の形態を説明する。
スカート自体が両開きのためスカートが身体から落ちないよう上部端にボタン１、マジックテープ２、ボタン穴４、を設け固定する。またウエストを調整するため伸縮性のあるゴム帯３を設ける。スカートの素材は美観上、外側は一般的にスカートに使用される布地５（ポリエステルなど）を設ける。内側は保温効果のある断熱材６（アルミ蒸着ＰＥＴフィルム／ポリエチレンフィルムなど）を使用する。また肌触りを考慮し内側断熱材６の内側に布地を使用し３層構造にしてもよい。断熱材と布地を合わせるためあて布７を設ける。
【符号の説明】
【０００８】１ボタン  ２マジックテープ  ３ゴム帯  ４ボタン穴  ５布地  ６断熱材  ７あて布
【図１】
0003167201.tif 000003
【図２】
0003167201.tif 000004
【手続補正書】
【提出日】平成22年12月28日(2010.12.28)
【手続補正１】
【補正対象書類名】明細書
【補正対象項目名】０００４
【補正方法】変更
【補正の内容】
【０００４】短めや薄手のスカート内をできるだけ速く保温し持続させるため通気性を断ち、反射熱を利用した保温効果のある断熱材（アルミ蒸着ＰＥＴフィルム／ポリエチレンフィルムなど）を内側の層に使用する。コンパクトに折り曲げ収納できるよう薄いものを使用する。外側の層は特に指定はないが一般的に洋服に使用されるポリエステルなどの布地を使用し縫いつけ２層構造または３層構造にする。丈の長さの指定はないが膝上以上程度とする。ウエストラインは一部伸縮性のあるゴム状のものを設け、激しい動きにも対応する。簡単に脱着できるよう上部のみに面ファスナーやボタンを設け巻き型とする。
【手続補正２】
【補正対象書類名】明細書
【補正対象項目名】０００７
【補正方法】変更
【補正の内容】
【０００７】以下、の実施の形態を説明する。スカート自体が両開きのためスカートが身体から落ちないよう上部端にボタン１、面ファスナー２、ボタン穴４、を設け固定する。またウエストを調整するため伸縮性のあるゴム帯３を設ける。スカートの素材は美観上、外側は一般的にスカートに使用される布地５（ポリエステルなど）を設ける。内側は保温効果のある断熱材６（アルミ蒸着ＰＥＴフィルム／ポリエチレンフィルムなど）を使用する。また肌触りを考慮し内側断熱材６の内側に布地を使用し３層構造にしてもよい。断熱材と布地を合わせるため  あて布７を設ける。
【手続補正３】
【補正対象書類名】明細書
【補正対象項目名】０００８
【補正方法】変更
【補正の内容】
【０００８】１ボタン  ２面ファスナー  ３ゴム帯  ４ボタン穴  ５布地  ６断熱材  ７あて布
【手続補正４】
【補正対象書類名】実用新案登録請求の範囲
【補正対象項目名】請求項１
【補正方法】変更
【補正の内容】
【請求項１】
スカート内を保温効果のある断熱材を内側の層に使用し、外側の層は特に指定はないが一般的に洋服に使用されるポリエステルなどの布地を使用し縫いつけ、スカートの丈の長さは特に限定しない＿ウエストラインは一部伸縮性のあるゴム状のものを設け、簡単に脱着できるように面ファスナーまたはボタンを設け巻き型とした断熱ミニスカート。
【手続補正５】
【補正対象書類名】図面
【補正対象項目名】図１
【補正方法】変更
【補正の内容】
【図１】
0003167201.tif 000005
(57)【要約】      （修正有）【課題】運動遊具の接続に用いられる接続体であって、当該接続体が用いられる運動遊具はパイプの直線状を呈するものが主であって、当該品を介して接続し、円形やＳ字状或いはコ字形に曲げる等、それぞれの運動目的に合う形状に運動遊具を形成する運動遊具接続体を提供する。【解決手段】無臭で柔軟性を有する例えばシリコン樹脂で、パイプ状に全長４０ｃｍから７０ｃｍで本体１を形成し、その長手方向の中間部外周には、リング状の凸壁２を周設するとともに、その両端部の外周にもリング状の凸壁３，４を周設して運動遊具を接続するための運動遊具接続体を構成する。使用に当たっては、運動に合わせた任意の形状を呈するようにした遊具パイプを、接続体の両端に差し込み、遊具パイプをリング状に、Ｓ字状に、或いはコ字形状など所望する形状に形成する。【選択図】図１
0003167217.tif 000002
【実用新案登録請求の範囲】
【請求項１】
無臭で柔軟性を有する例えばシリコン樹脂で、パイプ状に全長４０ｃｍから７０ｃｍで本体１を形成し、その長手方向の中間部外周には、リング状の凸壁２を周設するとともに、その両端部の外周にもリング状の凸壁３，４を周設したことを特徴とする運動遊具Ｂを接続するための運動遊具接続体。
【考案の詳細な説明】
【技術分野】
【０００１】  本考案は、運動遊具の接続に用いられる接続体であって、当該接続体が用いられる運動遊具はパイプの直線状を呈するものが主であって、当該品を介して接続し、円形やＳ字状或いはコ字形に曲げる等、それぞれの運動目的に合う形状に運動遊具を形成するものである。
【背景技術】
【０００２】  主として幼児から児童までを対象としたコーディネーション運動と称される「多様な動きをつくる運動遊び」の新たな運動の普及においては、明確に運動具と分類される用具よりも、むしろ遊具に近いものが多く用いられる。
遊びの中で運動能力の向上、想像力、社会性、豊かな感性を育み、心と体の成長を促すための理論の裏づけがなされた運動と言われている事からも頷ける。【０００３】  コーディネーション能力には「バランス」「変換」「反応」「リズム」「定位」など７つの能力があり、それぞれの能力をバランスよく向上させるため取り込んでいて、従来品とは違う各運動に相応しい用具が考え出されつつあり本考案もその一つである。
つまり、行なう運動に応じ運動遊具はリングに形成されたり、Ｓ字状に形成されたりとその形状を変えて多用途に使用される。これに対し従来品は、リングはリング、Ｓ字状のものはＳ字状と予め形成されたものであった。
【先行技術文献】
【特許文献】
【０００４】
【特許文献１】
【０００５】
【非特許文献】
【非特許文献】株式会社エバニュー２００９年カタログ１０３頁〜１１２頁  株式会社エバニュー制作ＤＶＤ（ＮＰＯ法人日本コーディネーショントレーニング協会監修）「多様な動きづくり」
【考案の概要】
【考案が解決しようとする課題】
【０００６】  本考案は、コーディネーション運動と言われる新たな運動に鑑み、直線状の運動遊具パイプを、ある運動の時はリング状に、あるときはＳ字状に、あるときはコ字形状に形成するための接続体を提供する事を目的としている。
【課題を解決するための手段】
【０００７】  上記目的を達成するために、適宜長を呈する運動遊具パイプＢを接続するため本考案は、無臭で柔軟性を有する例えばシリコン樹脂で全長略４０ｃｍから７０ｃｍのパイプ状に形成し、その長手方向の中間部外周には、リング状に凸壁２を周設するとともに、その両端部の外周にもリング状に凸壁３，４を周設して構成されたことを特徴とする運動遊具接続体Ａ。
【考案の効果】
【０００８】  以上の説明のように、本考案は無臭で柔軟性を有する例えばシリコン樹脂で全長略４０ｃｍから７０ｃｍにパイプ状につくられ、その長手方向の中間部外周には、リング状に凸壁を周設するとともに、その両端部の外周にもリング状に凸壁を周設したことを特徴とする運動遊具パイプＢを接続するために構成された運動遊具接続体なので、次に挙げる効果が得られる。【０００９】（１）運動に合わせた任意の形状を呈するようにした遊具パイプＢを、本考案接続体の両端に差し込めば、両端部の外周に周設されているリング状の凸壁の効果で不用意に離脱するのを防止している。【００１０】（２）また長手方向の中間部外周にリング状に周設されている凸壁によって、何れからか一方が深く（長く）差し込まれる事を防止している。また、その全長は４０ｃｍから７０ｃｍに形成されているので、遊具パイプＢをリング状に、Ｓ字状に、或いはコ字形状など所望する形状に形成することが出来るばかりでなく、各運動に使用しているとき、例えば引掛けたり、踏んだりしても接続された遊具パイプＢが離脱する事はない。【００１１】（３）本考案によってリング状に、Ｓ字状に、或いはコ字形状などの形状状に形成された遊具パイプＢは、「定位」「バランス」「リズム」のコーディネーション能力の向上運動に供せられる。
【図面の簡単な説明】
【００１２】
【図１】本考案に係る運動遊具接続体を一部切欠で説明する図である。
【図２】遊具パイプＢを本案運動遊具接続体で接続しようとしている説明図である。
【図３】遊具パイプＢを本案接続体で接続し、輪状に形成された運動遊具で運動する児童。
【図４】遊具パイプＢを本案接続体で接続し、Ｓ字状に形成された運動遊具。
【考案を実施するための形態】
【００１３】  以下、図面に基づいて本考案の実施形態を説明する。
【実施例１】
【００１４】  図１は、本考案に係る運動遊具接続体を一部切欠で説明する図であって、接続体Ａは無臭で柔軟性を有する例えばシリコン樹脂で全長が４０ｃｍから７０ｃｍのパイプ状に本体１を形成し、その長手方向の中間部外周には、リング状の凸壁２を周設するとともに、両端部の外周にもリング状の凸壁３，４を周設して構成されたことを特徴とするものである。【００１５】  図２は、パイプ状の運動遊具Ｂに本考案に係る運動遊具接続体Ａを用いたときを示していて、本案接続体Ａで接続される運動遊具Ｂは、行なわれる運動に合わせ、図３の輪状に、図４のＳ字状に、或いはコ字形状（図示略）に形成され、それぞれが「定位」「バランス」「リズム」のコーディネーション能力の向上運動に供せられる。
【産業上の利用可能性】
【００１６】  本考案は、運動用具や運動遊具を製造する産業で利用される。
【符号の説明】
【００１７】  Ａ運動遊具接続体      Ｂ運動遊具Ｂ
１接続体本体      ２リング状凸壁      ３，４リング状凸壁
【図１】
0003167217.tif 000003
【図２】
0003167217.tif 000004
【図３】
0003167217.tif 000005
【図４】
0003167217.tif 000006
(57)【要約】      （修正有）【課題】腹筋運動その他全身ストレッチ運動の時に補助器具として、折りたたみ機能を利用し運動効果を高める折りたたみ式ストレッチ器具を提供する。【解決手段】２枚の板状の物を開ける状態で連結し、蝶番を設け１０度〜８５度開くようにし左右にスプリングを設置し、板状の周囲の角にグリップを設け、中央心棒部分にも両側にグリップを設置し、２枚の板状の中央上部にも手が入るように角型の穴状のグリップを設置する。【選択図】図１
0003167219.tif 000002
【実用新案登録請求の範囲】
【請求項１】
２枚の板状の物を開ける状態で連結し、蝶番を設け１０度〜８５度開くようにし左右にスプリングを設置し、板状の周囲の角にグリップを設け中央心棒部分にも両側にグリップを設置し、２枚の板状の中央上部にも手が入るように角型の穴状のグリップを設置。
以上を特徴とする折りたたみ式  ストレッチ器具。
【考案の詳細な説明】
【技術分野】
【０００１】  本考案は、腹筋運動その他全身ストレッチ運動の時に補助器具として、折りたたみ機能を利用し運動効果を高める折りたたみ式ストレッチ器具に関するものである。
【技術背景】
【０００２】  従来、腹筋運動は器具なしで、自力で行うものであったが、器具を利用又は補助とする腹筋専用器具が数多く市場に出ている、しかし、数多くの腹筋補助は腹筋のみの運動しかできず不便であった、また、腹筋及び全身運動ができる器具も存在しているが腹筋専用器具に比べると腹筋運動の効果が劣るような感じであった。
また、同じ折りたたみ式で、収納用途重視の器具の出願を確認（特許文献１）
【特許文献１】  特許公開２００４−２２３２２５
【考案の開示】
【考案が解決しようとする課題】
【０００３】  そのため次のような問題点があった。
（イ）      自力で行う腹筋運動は、首等を傷めるおそれがあった。
（ロ）      腹筋運動器具で全身運動は、難しかった。
本考案は、以上の問題点を解決するためになされたものである。
【課題を解決するための手段】
【０００４】  ２枚の板状の物を開ける状態で連結し、蝶番を設け１０度〜８５度開くようにし左右にスプリングを設置し、板状の周囲の角にグリップを設け中央心棒部分にも両側にグリップを設置し、２枚の板状の中央上部にも手が入るように角型の穴状のグリップを設置。以上を特徴とする折りたたみ式  ストレッチ器具である。
【考案の効果】
【０００５】  本考案は、２枚の板状を設定された角度にスプリングを介し閉じ開きでき、その性質を利用し各グリップを持ち本品の中心部分を、腹、膝の内側等からだの可動部分に密着させて使用することによりスプリングの抵抗と相まって運動効果を高める効果が期待できる、又、体と離して腕、足のみで本品を可動させることによりそれぞれの部位のストレッチ効果が期待できる。
【考案を実施するための最良の形態】
【０００６】  以下、本考案の実施の形態を説明する
（イ）上部板（２）の両サイドに上部グリップ左（１２）と上部グリップ右（５）をそれぞれ取り付け、下部板（１）にも左右に下部左グリップ（７）と下部右グリップ（６）を取り付ける、また、それぞれの板（２）、（１）に上部持ち手（４）と下部持ち手（９）を設ける。
（ロ）上部板（２）と下部板（１）を心棒グリップ（１３）を介して接合、支点部分内側の左右に左スプリング（１１）と右スプリング（１０）を設置、外側には上部板（２）と下部板（１）を覆うように上部クッション（３）と下部クッション（８）を設置する。
本案は以上のような構造でこれを使用するときは、クッション部（３）、（８）を身体側にし、それぞれのグリップを手で持ち、多様なバリエーションの運動をすることができる。【０００７】  図１は、簡単な本考案斜視図であり、図２、図３は、本考案品使用例であり、上部板（２）と下部板（１）を折りたたむようにすることでスプリングの抵抗も相まって効率よく全身運動ができる。
【図面の簡単な説明】
【０００８】
【図１】本考案の斜視図
【図２】本考案の着席使用状態を示す側面図
【図３】本考案の起立使用状態を示す側面図
【符号の説明】
【０００９】    １  下部板
２  上部板
３  上部クッション
４  上部持ち手
５  上部右グリップ
６  下部右グリップ
７  下部左グリップ
８  下部クッション
９  下部持ち手
１０  右スプリング
１１  左スプリング
１２  上部左グリップ
１３  心棒  グリップ
【図１】
0003167219.tif 000003
【図２】
0003167219.tif 000004
【図３】
0003167219.tif 000005
(57)【要約】【課題】廉価でかつ半永久的にナットが抜けなくなるボルトを提供する。【解決手段】ボルト１のねじ先を中空とし、ナット３ａ，３ｂとの螺合後に当該ねじ先の中空部分に後部がテーパー若しくは凸型の球面であるくさび２を圧入し、更にボルト１のねじ先をかしめる。【選択図】図３
0003167214.tif 000002
【実用新案登録請求の範囲】
【請求項１】
ねじ先が中空であるボルトと、後部がテーパー若しくは凸型の球面であるくさびから構成され、ナットとの螺合後に当該ボルトの中空部分に当該くさびを先端より圧入し、然る後に当該ボルトのねじ先をかしめることを特徴とするボルト。
【考案の詳細な説明】
【技術分野】
【０００１】  本考案は、ボルトに関する技術に関し、特に螺合したナットをとれなくする技術に関する。
【背景技術】
【０００２】  従来のねじの緩み止めの防止技術としては、雄ねじの頭よりくさびを圧入し、雌ねじが抜けづらくしたものがある（例えば、特許文献１参照）。【０００３】  また、中心部に貫通穴があり、頭部より軸ボルトを挿入し、これをねじ先に挿入した錐形片と螺合させ、ねじ先部の有効径を広げ、かつ軸ボルトの戻りを防止するためにピンと掛止リングを用いたものがある（例えば、特許文献２参照）。
【先行技術文献】
【特許文献】
【０００４】
【特許文献１】登録実用新案第３０８１１７４号公報（図１）
【０００５】
【特許文献２】特開２０００−３４６０３５号公報（図１）
【考案の概要】
【考案が解決しようとする課題】
【０００６】  しかしながら、特許文献１における従来技術では、機械的振動によりくさびが脱落し、ついには雌ねじが脱落する事態が起こる可能性がある。【０００７】  また、特許文献２における従来技術では、構造が複雑で高価ものになる傾向にある。【０００８】  本考案は、単純な構造であるが故に廉価であり、かつ螺合したナットが機械的振動により脱落することのないボルトを供給するものである。
【課題を解決するための手段】
【０００９】  ボルトのねじ先を中空とし、ナットとの螺合後に当該ねじ先の中空部分に後部がテーパー若しくは凸型の球面であるくさびを圧入し、更に当該ボルトのねじ先をかしめる。
【考案の効果】
【００１０】  本考案において、くさびの外径は、ボルトの先端に設けた中空部分の内径よりやや大きくしておく。【００１１】  このことによりくさびがボルトの先端に設けた中空部分に圧入されることにより当該中空部分の内径は拡大し、該ボルトの先端部分が中空であるが故に、当該くさびの圧入により当該ボルトのねじ先の有効半径が拡大する。【００１２】  ナットのねじ部の有効半径は一定であるため、ナットは有効半径が拡大したボルトのねじ先を通過することができず、このことによりボルトはナットから抜けづらくなる。【００１３】  本考案においてはくさびの後部がテーパー若しくは凸型の球面であるが故に、工具を用いてボルトのねじ先をかしめれば、ねじ先が当該くさびの後部の形状に沿って均一に折り込まれて、くさびを半永久的に把持する強固で信頼性のあるかしめ部分が形成される。【００１４】  このため、本考案においてボルトのねじ先をかしめれば、ナットは半永久的に抜けなくなる。【００１５】  また本考案は、構造が非常に単純であるが故に、特許文献２に示す発明と比べ製造コストを低くすることができる。
【図面の簡単な説明】
【００１６】
【図１】本考案の実施の形態におけるくさびの圧入前の断面図である。
【図２】本考案の実施の形態におけるくさびの圧入後の断面図である。
【図３】本考案の実施の形態におけるねじ先部をかしめた後の断面図である。
【図４】本考案の実施の形態における球を使用した例の断面図である。
【考案を実施するための形態】
【００１７】  図１から図３に本考案のボルトを鋼板に貫通させそれをナット締めしたときの断面図を示す。
【００１８】  図１から図３中、１はねじ先部に円筒状の中空部分を有するボルトであり、２は円錐台の底面を貼り合わせた形状のくさびであり、３ａおよび３ｂはナットであり、４ａおよび４ｂはボルトとナットの座面に挟まれた鋼板であり、５はボルトのねじ部である。
【００１９】  図１から図３において、くさび２の外径はボルトの中空部分の内径よりやや大きいサイズとなっている。
【００２０】  このため図２に見るように、くさび２をボルト１の中空部分に圧入するとボルト１のねじ先は変形し、ねじ部５の有効半径は本来の値より拡大する。
【００２１】  これによりナット３はボルト１より抜けなくなる。
【００２２】  更にボルト１のねじ先を工具を用いてかしめると図３に示すとおりボルト１のねじ先はくさび２の後部の形状に沿って折り込まれる。
【００２３】  このようにくさび２の後部のテーパーを比較的緩くしておくことにより、かしめ部分に無理な力が加わらず、亀裂のない均一なかしめ部分が形成される。
【００２４】  このことによりかしめ部分はくさび２を強固に把持し、そのことによりナット３はボルト１から半永久的に抜けなくなる。
【００２５】  なお、くさび２は角錐台を貼り合わせた形状でも良く、また平べったい形状でもよい。
【００２６】  図４にくさびとして球体を用いた実施形態を示す。
【００２７】  図４中、６はセラミック球である。
【００２８】  図４においてセラミック球６はボルト１のねじ先の中空部分の内径より直径が大きいものを採用している。
【００２９】  これによりセラミック球６をボルト１のねじ先の中空部分に圧入させればボルト１のねじ先は変形し、ねじ部５の有効半径は本来の値より拡大してナット３はボルト１より抜けづらくなり、更にボルト１のねじ先を工具を用いてかしめればボルト１のねじ先はセラミック球の後部の形状に沿って折り込まれ、これにより形成されたかしめ部分はセラミック球６を強固に把持し、ナット３はボルト１より半永久的に抜けなくなる。
【００３０】  図４に示すとおり、くさび２の後部は凸型の球面でもよく、また全体が球体又は楕円体でもよい。
【００３１】  なお、くさび２やセラミック球６を事後に外したい場合は、ボルト１の中空部分からボルト１の頭部に貫通する貫通穴若しくはねじ穴を事前にボルト１に備えておき、それに嵌合するピン又はそれに螺合する雄ねじによりくさび２やセラミック球６をボルト１の頭部から押すようにする。
【産業上の利用可能性】
【００３２】  本考案のくさびは機械的振動により容易に抜けることがないので、機械的振動の多い部分のねじ止めに適している。【００３３】  また、くさびとしてセラミックスを焼成したものを用いれば、耐食性や耐熱性に優れたねじ止めを実現することができる。
【符号の説明】
【００３４】１    ボルト
２    くさび
３，３ａ，３ｂ    ナット
４ａ，４ｂ    鋼板
５    ねじ部
６    セラッミック球
【図１】
0003167214.tif 000003
【図２】
0003167214.tif 000004
【図３】
0003167214.tif 000005
【図４】
0003167214.tif 000006
(57)【要約】      （修正有）【課題】従来の円筒のカーラーによる単純なカールではなく、毛髪に複雑なカールをつけることができるヘアカーラーを提供する。【解決手段】合成樹脂モノフィラメント織物テープを筒状体にしその内部に合成樹脂の帯を固定したヘアカーラーをつくり、毛髪を巻きつけて使用すると、複雑なカールを髪につけることができる。毛髪に複雑なカールをつくることにより、新しいヘアスタイルを創造できる。【選択図】図４
0003167212.tif 000002
【実用新案登録請求の範囲】
【請求項１】
合成樹脂モノフィラメントを織物に織って表面にループを形成し、そのループを切断してフック状にしたテープを接合して筒状にし、その筒状内部に合成樹脂の帯を固定したヘアカーラー
【考案の詳細な説明】
【技術分野】
【０００１】本考案は頭髪を巻いてカールさせるためのヘアカーラーに関するものである。
【背景技術】
【０００２】従来のヘアカーラーには合成樹脂製の円筒形のコアに髪を巻きつけてヘアをセットしようとするものがある。
【考案の開示】
【考案が解決しようとする課題】
【０００３】従来のヘアカーラーにはただ円筒に巻きつけるだけなので、円筒と同じ直径の単純なカールしかできない。
【課題を解決するための手段】
【０００４】合成樹脂モノフィラメント織物テープを接合して筒状にし、筒状内部に合成樹脂の帯を固定した本考案のカーラー［図４］を提供する。
【考案の効果】
【０００５】［図５］が本考案の使用例で従来の円筒のカーラーによる単純なカールではなく、毛髪に複雑なカールをつけることができる。
【実施例】
【０００６】［図５］のように本考案のカーラーで毛髪に複雑なカールをつけることができる。
【産業上の利用可能性】
【０００７】［図５］のように毛髪に複雑なカールをつくることにより、新しいヘアスタイルを創造できるようになる。
【図面の簡単な説明】
【０００８】
【図１】本考案に使用する合成樹脂モノフィラメント織物テープ
【図２】本考案に使用する合成樹脂の帯
【図３】［図１］の合成樹脂モノフィラメント織物テープを接合して筒状体
【図４】［図３］の筒状体内部に［図２］の合成樹脂の帯を固定した本考案
【図５】本考案のヘアカーラーを使用してできた、複雑な毛髪のカール
【図１】
0003167212.tif 000003
【図２】
0003167212.tif 000004
【図３】
0003167212.tif 000005
【図４】
0003167212.tif 000006
【図５】
0003167212.tif 000007
【手続補正書】
【提出日】平成23年1月19日(2011.1.19)
【手続補正１】
【補正対象書類名】実用新案登録請求の範囲
【補正対象項目名】全文
【補正方法】変更
【補正の内容】
【実用新案登録請求の範囲】
【請求項１】
合成樹脂モノフィラメントをテープ状織物に織って表面にループを形成し、そのループを切断してフック状にしたテープ状織物の端と端を接合して筒状にし、その筒状内部に合成樹脂の帯を固定したヘアカーラー。